(57)【要約】【課題】通信性能の向上と嵌合動作の信頼性向上とを両立させる。【解決手段】コネクタ１は、隔壁部１５で左右に区画された複数の導体収容室１７を有する誘電体１０と、複数の導体収容室１７に個別に収容された複数の内導体３６と、誘電体１０を構成し、隔壁部１５と複数の導体収容室１７とが形成された合成樹脂製の本体部材１１と、誘電体１０を構成し、導体収容室１７の前端の開口を塞ぐように本体部材１１の前端部に取り付けられた合成樹脂製の前壁部材２８とを備え、隔壁部１５の材料又は材質が、前壁部材２８より誘電率の低い材料又は材質であり、前壁部材２８の材料又は材質が、隔壁部１５より機械的強度の高い材料又は材質である。【選択図】図３
2018133276.tif 000002
【特許請求の範囲】
【請求項１】
隔壁部で左右に区画された複数の導体収容室を有する誘電体と、
前記複数の導体収容室に個別に収容された複数の内導体と、
前記誘電体を構成し、前記隔壁部と前記複数の導体収容室とが形成された合成樹脂製の本体部材と、
前記誘電体を構成し、前記導体収容室の前端の開口を塞ぐように前記本体部材の前端部に取り付けられた合成樹脂製の前壁部材と、
前記前壁部材に形成され、前記誘電体の前方から相手側内導体のタブを前記導体収容室内に挿入させることを許容するタブ挿入口とを備え、
前記隔壁部の材料又は材質が、前記前壁部材より誘電率の低い材料又は材質であり、
前記前壁部材の材料又は材質が、前記隔壁部より機械的強度の高い材料又は材質であることを特徴とするコネクタ。
【請求項２】
誘電体が、
前記隔壁部と、前記複数の導体収容室を構成する複数の溝部とが形成された保持部材と、
前記複数の溝部の開口部を閉塞するように前記保持部材に取り付けられた蓋部材とを備えて構成されていることを特徴とする請求項１記載のコネクタ。
【請求項３】
前記前壁部材には、前記複数の内導体の前端部を位置決め可能な位置決め部が形成されていることを特徴とする請求項２記載のコネクタ。
【請求項４】
前記前壁部材と前記保持部材には、互いに嵌合することで組付け状態に保持する嵌合部が形成され、
前記前壁部材には、前記前壁部材を前記保持部材に組み付けた状態で、前記蓋部材に当接することで前記蓋部材が前記保持部材に組付けた状態に保持する押え部が形成されていることを特徴とする請求項２記載のコネクタ。
【発明の詳細な説明】
【技術分野】
【０００１】
本発明は、コネクタに関するものである。
【背景技術】
【０００２】
特許文献１には、雄側誘電体に雄形内導体を取り付け、雌側誘電体に雌形内導体を取り付け、雌雄両誘電体を嵌合することにより、雄形内導体と雌形内導体を接続するようにしたコネクタが開示されている。
【先行技術文献】
【特許文献】
【０００３】
【特許文献１】特開２０１２−１２９１０３号公報
【発明の概要】
【発明が解決しようとする課題】
【０００４】
この種のコネクタとして、雌側誘電体に隔壁で区画された複数の導体収容室を形成し、複数の導体収容室に複数の雌側内導体を個別に収容する形態のものも考えられる。このようなコネクタを通信回路に適用した場合、通信性能を保証するために、雌側誘電体を誘電率の低い合成樹脂材料とすることが好ましい。ところが、誘電率の低い合成樹脂材料は比較的強度が低い。そのため、雌雄両誘電体を嵌合する過程で、雄形内導体の先端の細長いタブが雌側誘電体の正面と干渉したときに、タブが雌側誘電体の正面に突き刺さることが懸念される。
【０００５】
本発明は上記のような事情に基づいて完成されたものであって、通信性能の向上と嵌合動作の信頼性向上とを両立させることを目的とする。
【課題を解決するための手段】
【０００６】
本発明は、
隔壁部で左右に区画された複数の導体収容室を有する誘電体と、
前記複数の導体収容室に個別に収容された複数の内導体と、
前記誘電体を構成し、前記隔壁部と前記複数の導体収容室とが形成された合成樹脂製の本体部材と、
前記誘電体を構成し、前記導体収容室の前端の開口を塞ぐように前記本体部材の前端部に取り付けられた合成樹脂製の前壁部材と、
前記前壁部材に形成され、前記誘電体の前方から相手側内導体のタブを前記導体収容室内に挿入させることを許容するタブ挿入口とを備え、
前記隔壁部の材料又は材質が、前記前壁部材より誘電率の低い材料又は材質であり、
前記前壁部材の材料又は材質が、前記隔壁部より機械的強度の高い材料又は材質であるところに特徴を有する。
【発明の効果】
【０００７】
複数の内導体の間に介在する隔壁部の材料又は材質を、比較的誘電率の低い材料枚は材質としたので、内導体を通る電気信号の通信性能が保証される。また、前壁部材の材料又は材質は、隔壁部に比べて機械的強度の高い材料又は材質からなるので、相手側内導体のタブが前壁部材と干渉しても、タブが前壁部材に突き刺さる虞はない。
【図面の簡単な説明】
【０００８】
【図１】実施例１のコネクタの正面図
【図２】図１のＡ−Ａ線断面図
【図３】図１のＢ−Ｂ線断面図
【図４】前壁部材に２つの内導体を位置決めした状態の平面図
【図５】保持部材の斜視図
【図６】保持部材の底面図
【図７】蓋部材の斜視図
【図８】前壁部材の斜視図
【図９】前壁部材の背面図
【図１０】前壁部材の側面図
【図１１】実施例２のコネクタの正面図
【図１２】図１１のＣ−Ｃ線断面図
【図１３】図１１のＤ−Ｄ線断面図
【図１４】保持部材の斜視図
【図１５】保持部材の底面図
【図１６】蓋部材の斜視図
【図１７】蓋部材の底面図
【図１８】前壁部材の斜視図
【図１９】前壁部材の背面図
【図２０】前壁部材の側面図
【図２１】前壁部材の平面図
【発明を実施するための形態】
【０００９】
本発明は、誘電体が、前記隔壁部と、前記複数の導体収容室を構成する複数の溝部とが形成された保持部材と、前記複数の溝部の開口部を閉塞するように前記保持部材に取り付けられた蓋部材とを備えて構成されていてもよい。この構成によれば、複数の内導体を誘電体の後方から導体収容室に挿入する必要がないので、内導体の後端部に接続した電線がツイストペア線を構成するものである場合に、電線の撚りを解く長さを短縮することができる。
【００１０】
本発明は、前記前壁部材には、前記複数の内導体の前端部を位置決め可能な位置決め部が形成されていてもよい。この構成によれば、複数の内導体を位置決め部で位置決めした状態で前壁部と一体化させることにより、複数の内導体を複数の溝部にワンアクションで収容することができる。
【００１１】
本発明は、前記前壁部材と前記保持部材には、互いに嵌合することで組付け状態に保持する嵌合部が形成され、前記前壁部材には、前記前壁部材を前記保持部材に組み付けた状態で、前記蓋部材に当接することで前記蓋部材を前記保持部材に組付けた状態に保持する押え部が形成されていてもよい。この構成によれば、蓋部材と保持部材とを確実に組付け状態に保持することができる。
【００１２】
＜実施例１＞
以下、本発明を具体化した実施例１を図１〜図１０を参照して説明する。尚、以下の説明において、前後の方向については、図２〜７における左方を前方と定義する。上下の方向については、図１，２，５，７〜１０にあらわれる向きを、そのまま上方、下方と定義する。
【００１３】
本実施例１のコネクタ１は、合成樹脂製の誘電体１０と、一対（複数）の内導体３６と、合成樹脂製のハウジング４４とを備えて構成されている。誘電体１０は、内部に左右一対の導体収容室１７が形成された本体部材１１と、本体部材１１の前端部に組み付けられる前壁部材２８とを備えて構成されている。本体部材１１は、保持部材１２と蓋部材２４とを組み付けて構成されている。
【００１４】
保持部材１２は、図５，６に示すように、全体として前後方向に細長い形状をなしている。保持部材１２は、前後方向に長い上壁部１３と、上壁部１３の左右両側縁からその全長に亘って略直角に下方へ延出した一対の側壁部１４と、上壁部１３の左右方向（幅方向）中央からその全長に亘って略直角に下方へ延出した隔壁部１５とを備えている。
【００１５】
保持部材１２のうち上壁部１３と一対の側壁部１４とで囲まれた空間は、隔壁部１５により左右に区画された一対の溝部１６となっている。各溝部１６は、導体収容室１７を構成する。各溝部１６は、前後方向に細長く、その全長に亘って保持部材１２の下面に開放されている。各溝部１６の内上面には抜止め凹部１８が形成されている。溝部１６の前端は保持部材１２の前面に開放されている。溝部１６の前端部には、上壁部１３、側壁部１４及び隔壁部１５の一部を切欠した形態であり、且つ保持部材１２の前端面に開放された逃がし凹部１９が形成されている。溝部１６の後端は保持部材１２の後面に開放されている。
【００１６】
保持部材１２の前端面のうち左右両側壁部１４の前端面には、夫々、上下に間隔を空けた一対ずつの嵌合孔２０が形成されている。左右両側壁部１４の外側面の前端部には、一対の前側ロック突起２１Ｆが形成され、左右両側壁部１４の外側面の後端部には、一対の後側ロック突起２１Ｒが形成されている。また、左右両側壁部１４の外面には、夫々、前側ロック突起２１Ｆと後側ロック突起２１Ｒとの間に配された位置決め凹部２２が形成されている。上壁部１３の外面（上面）には、係止突起２３が形成されている。
【００１７】
蓋部材２４は、図７に示すように、前後方向に細長い形状をなす。蓋部材２４は、前後方向に長い下壁部２５と、下壁部２５の左右両側縁の前端部から上方へ略直角に延出した一対の前側弾性ロック片２６Ｆと、下壁部２５の左右両側縁の後端部から上方へ略直角に延出した一対の後側弾性ロック片２６Ｒとを有する単一部品である。下壁部２５の左右両側縁には、前側弾性ロック片２６Ｆと後側弾性ロック片２６Ｒとの間に配された左右一対の位置決め突部２７が形成されている。
【００１８】
蓋部材２４は、保持部材１２に対しその下面（溝部１６がその前端から後端に至る全長領域に亘って開放されている面）を塞いだ状態で組み付けられている。組付け状態では、下壁部２５が左右両側壁部１４の下端面と隔壁部１５の下端面に当接することにより、保持部材１２と蓋部材２４が上下方向に位置決めされる。また、前側ロック突起２１Ｆと前側弾性ロック片２６Ｆが係止し、後側ロック突起２１Ｒと後側弾性ロック片２６Ｒが係止することにより、保持部材１２と蓋部材２４が、上下方向への離間と左右方向への相対変位を規制される。さらに、位置決め凹部２２と位置決め突部２７が嵌合することにより、保持部材１２と蓋部材２４の前後方向への相対変位が規制されている。
【００１９】
以上により、保持部材１２と蓋部材２４が上下に合体して取り付けられた状態に保持されている。保持部材１２と蓋部材２４が合体することにより、本体部材１１が構成されている本体部材１１の内部には、溝部１６と下板部とにより導体収容室１７が形成されている。換言すると、各導体収容室１７は、上壁部１３と一方の側壁部１４と隔壁部１５と下壁部２５とによって囲まれた空間である。また、一対の導体収容室１７は、隔壁部１５によって絶縁状態に区画されている。導体収容室１７の前端は本体部材１１の前面に開放され、導体収容室１７の後端は本体部材１１の後面に開放されている。
【００２０】
前壁部材２８は、壁本体部２９と、壁本体部２９の後面から後方へ突出した左右一対の位置決め部３０とを有する単一部品である。壁本体部２９の後面における左右両端部には、夫々、後方へ片持ち状に突出した形態の上下一対ずつの嵌合突起３１が形成されている。各嵌合突起３１の突出端部（後端部）には、拡径部３２が形成されている。
【００２１】
壁本体部２９には、開口形状が方形をなす左右一対のタブ挿入口３３が前後方向（壁本体部２９の壁厚方向）に貫通した形態である。タブ挿入口３３には、相手側内導体４６の先端の細長いタブ４７が挿通されるようになっている。壁本体部２９の前面には、左右一対の誘導面３４が形成されている。各誘導面３４は、壁本体部２９の前面のうち各タブ挿入口３３の孔縁部に沿った方形枠状領域を、テーパ状に凹ませた形態である。タブ４７が誘導面３４に当接すると、誘導面３４の傾斜によりタブ４７がタブ挿入口３３へ誘導されるようになっている。
【００２２】
各位置決め部３０は、壁本体部２９の後面から後方へ片持ち状に延出した角筒形状をなす。位置決め部３０の背面視形状は、図９に示すように、全体として方形であり、上端部における右側部分には、上方へ凹ませた形態の誤嵌合規制凹部３５が形成されている。各位置決め部３０の前端部には、タブ挿入口３３が開口している。位置決め部３０の内部は後方へ開放された空間となっている。
【００２３】
前壁部材２８は本体部材１１の前端面に取り付けられている。前壁部材２８を本体部材１１に組み付けることで、誘電体１０が構成されている。前壁部材２８と本体部材１１は、嵌合突起３１を嵌合孔２０に圧入し、嵌合突起３１の先端の拡径部３２を嵌合孔２０の後面側の孔縁部に係止させることで、組付け状態にロックされている。
【００２４】
内導体３６は、金属板材に曲げ加工等を施して成形されたものであり、全体として前後方向に細長い形状である。内導体３６の前端側領域には角筒状の導体本体部３７が形成され、内導体３６の後端側領域にはオープンバレル状の圧着部３８が形成されている。導体本体部３７の前端部には、その上面から上方へ突出したスタビライザ３９（図２を参照）が形成されている。導体本体部３７の後端部には、その上面から上方へ突出した形態の抜止め突起４０が形成されている。
【００２５】
２つの内導体３６には、２本の電線４２の前端部が、個別に且つ導通可能に接続されている。詳細には、各圧着部３８には、夫々、電線４２の前端部が、導通可能に且つ概ね同軸状に圧着されている。２本の電線４２は、互いに螺旋状に撚り合わせることでツイストペア線４１を構成するものである。ツイストペア線４１は、筒状の絶縁部材４３により一括して包囲された状態で一体化されており、信号回路を構成している。
【００２６】
内導体３６の前端部は、前壁部材２８の後方から各位置決め部３０の内部に嵌合されている。位置決め部３０に嵌合された内導体３６は、前壁部材２８に対し上下方向及び左右方向への相対変位を規制された状態で位置決めされている。また、スタビライザ３９が誤嵌合規制凹部３５に収容されている。
【００２７】
したがって、内導体３６を位置決め部３０に対し上下反転した向きで嵌合しようとすると、スタビライザ３９が位置決め部３０の下端部の後端縁と干渉するので、位置決め部３０（前壁部材２８）に対して内導体３６が上下反転した不正な向きで嵌合されることが防止されている。
【００２８】
各内導体３６は、夫々、導体収容室１７内に収容されている。導体収容室１７に収容された内導体３６は、上壁部１３、下壁部２５、側壁部１４及び隔壁部１５に当接することにより、導体収容室１７（誘電体１０）に対して上下方向及び左右方向への相対変位を規制された状態に保持されている。また、抜止め突起４０と抜止め凹部１８との嵌合により、内導体３６は、導体収容室１７（誘電体１０）に対し前後方向への相対変位を規制された状態に保持されている。
【００２９】
誘電体１０は、保持部材１２と蓋部材２４と前壁部材２８の３つの部品を組み付けて構成されている。保持部材１２の材料、材質は、ポリプロピレン（ＰＰ）が用いられている。また、蓋部材２４の材料、材質もポリプロピレンである。つまり、本体部材１１を構成する保持部材１２と蓋部材２４は、同一の材料、材質からなる。一方、誘電体１０の前面部を構成する前壁部材２８の材料、材質は、比較的機械的強度の高い合成樹脂であるポリブチレンテレフタレート（ＰＢＴ）が用いられている。
【００３０】
本体部材１１の材料であるポリブチレンテレフタレートは、ポリプロピレンに比べて機械的強度が高く、誘電率（比誘電率）も高い。本体部材１１の材料、材質選定に際しては、内導体３６が信号回路を構成するものであり、保持部材１２には２つの内導体３６を仕切る隔壁部１５が一体形成されていることが考慮されている。これにより、本体部材１１の材料。材質として、信号伝達への影響の少ない合成樹脂、即ち比較的誘電率（比誘電率）の低いポリプロピレンが選択されている。
【００３１】
一方、前壁部材２８の材料、材質選定に際しては、誘電体１０の前方から相手側内導体４６の細長いタブ４７がタブ挿入口３３に挿入されるようになっているため、タブ４７が、公差の影響等により前壁部材２８の前面の誘導面３４に突き刺さる懸念が考慮されている。これにより、前壁部材２８の材料として、タブ４７が突き刺さらない程度の機械的強度を有するポリブチレンテレフタレートが選択されている。
【００３２】
次に、本実施例１のコネクタ１の組付け手順を説明する。各内導体３６の後端部には電線４２の前端部が圧着される。電線４２が圧着済みの２つの内導体３６は、前壁部材２８の左右一対の位置決め部３０に個別に嵌合され、これにより、前壁部材２８に対して上下方向及び左右方向に位置決めされる。この後、前壁部材２８と２つの内導体３６を、上下反転させた保持部材１２にセットする。
【００３３】
このとき、前壁部材２８を正規の取付け位置よりも少し前方に位置させた状態で、各内導体３６を溝部１６に収容する。このときの溝部１６に対する内導体３６の取付け方向は、内導体３６及び電線４２の軸線方向（前後方向）に対してほぼ直角に交差する方向なので、２本の電線４２の前端部のうち絶縁部材４３の前端から露出させて撚りを解く領域の長さは、後方から溝部１６（導体収容室１７）に内導体３６を挿入する場合に比べると、短くて済む。したがって、ツイストペア線４１としての電磁シールド機能に優れている。
【００３４】
前壁部材２８と内導体３６を一体的に保持部材１２にセットした状態では、壁本体部２９が保持部材１２の前方に離間しているので、内導体３６の位置も正規の取付け位置より前方にずれている。したがって、この位置ずれを矯正するために、前壁部材２８と一緒に内導体３６を後方へ移動させ、壁本体部２９の後面を保持部材１２の前面に当接させる。このとき、前壁部材２８の嵌合突起３１を保持部材１２の嵌合孔２０に圧入し、嵌合突起３１の拡径部３２を保持部材１２に係止させる。以上により、前壁部材２８が保持部材１２に対し正規の形態で組み付けられるとともに、内導体３６が溝部１６内の正規位置に収容される。
【００３５】
内導体３６が適正に溝部１６に収容された状態では、抜止め突起４０が抜止め凹部１８に係止することにより、内導体３６は保持部材１２（溝部１６）に対して前後方向への相対変位を規制された状態に保持される。また、位置決め部３０は、保持部材１２の逃がし凹部１９に嵌合される。以上により、前壁部材２８と２つの内導体３６が保持部材１２に対して一体化される。
【００３６】
この後、保持部材１２に対し蓋部材２４を上下に接近させるようにして合体させる。保持部材１２と蓋部材２４を合体した状態では、前側弾性ロック片２６Ｆと前側ロック突起２１Ｆが係止し、後側弾性ロック片２６Ｒと後側ロック突起２１Ｒが係止し、位置決め凹部２２と位置決め突部２７が係止することにより、保持部材１２と蓋部材２４が合体状態に保持される。以上により、誘電体１０の組付けが完了すると同時に、誘電体１０内に２つの内導体３６が収容された状態となる。内導体３６が取り付けられた誘電体１０は、ハウジング４４内に挿入され、ランス４５と係止突起２３との係止により抜止め状態にロックされる。
【００３７】
本実施例１のコネクタ１は、通信性能の向上と嵌合動作の信頼性向上とを両立させることを目的とするものであり、誘電体１０と２つ（複数）の内導体３６とを備えている。誘電体１０は、隔壁部１５によって左右に区画された２つの導体収容室１７を有し、２つの導体収容室１７には２つの内導体３６が個別に収容されている。
【００３８】
誘電体１０は、隔壁部１５と２つの導体収容室１７とが形成された合成樹脂製の本体部材１１と、導体収容室１７の前端の開口を塞ぐように本体部材１１の前端部に取り付けられた合成樹脂製の前壁部材２８とを備えて構成されている。前壁部材２８には、誘電体１０の前方から相手側内導体４６のタブ４７を導体収容室１７内に挿入させることを許容するタブ挿入口３３が形成されている。
【００３９】
隔壁部１５の材料、材質は、前壁部材２８より誘電率の低い合成樹脂材料（ポリプロピレン）からなる。前壁部材２８の材料、材質は、隔壁部１５より機械的強度の高いもの（ポリブチレンテレフタレート）からなる。本実施例１のコネクタ１では、２つの内導体３６の間に介在する隔壁部１５の材料、材質を、比較的誘電率の低い材料、材質としたので、内導体３６を通る電気信号の通信性能が保証される。また、前壁部材２８の材料、材質は、隔壁部１５に比べて機械的強度の高い材料、材質であるから、相手側内導体４６のタブ４７が前壁部材２８と干渉しても、タブ４７が前壁部材２８に突き刺さる虞はない。
【００４０】
また、内導体３６の後端部に接続した２本の電線４２は、ツイストペア線４１を構成するものである。そのため、各電線４２に接続した内導体３６を、本体部材１１の後方から導体収容室１７に挿入する場合には、電線４２の撚りを解く長さを長くする必要がある。この点に鑑み、本実施例１では、誘電体１０を、保持部材１２と蓋部材２４とに分割した形態とし、保持部材１２には、隔壁部１５と、２つの導体収容室１７を構成する２つの溝部１６とを形成した。そして、蓋部材２４は、２つの溝部１６の開口部を閉塞するように保持部材１２に取り付けた。この構成によれば、２つの内導体３６を誘電体１０の後方から導体収容室１７に挿入する必要がないので、電線４２の撚りを解く長さを短縮することができ、ひいては、ツイストペア線４１のシールド機能の信頼性低下を回避できる。
【００４１】
また、前壁部材２８には、２つの内導体３６の前端部を位置決め可能な位置決め部３０が形成されている。この構成によれば、２つの内導体３６を位置決め部３０で位置決めした状態で前壁部と一体化させることにより、２つの内導体３６を２つの溝部１６にワンアクションで収容することができる。
【００４２】
＜実施例２＞
以下、本発明を具体化した実施例２を図１１〜図２１を参照して説明する。尚、以下の説明において、前後の方向については、図１２〜１７における左方を前方と定義する。上下の方向については、図１１，１２，１４，１６，１８〜２０にあらわれる向きを、そのまま上方、下方と定義する。
【００４３】
本実施例２のコネクタ２は、合成樹脂製の誘電体５０と、一対（複数）の内導体７６と、合成樹脂製のハウジング８５とを備えて構成されている。誘電体５０は、内部に左右一対の導体収容室５７が形成された本体部材５１と、本体部材５１の前端部に組み付けられる前壁部材６９とを備えて構成されている。本体部材５１は、保持部材５２と蓋部材６４とを組み付けて構成されている。
【００４４】
保持部材５２は、図１４，１５に示すように、全体として前後方向に細長い形状をなしている。保持部材５２は、前後方向に長い上壁部５３と、上壁部５３の左右両側縁からその全長に亘って略直角に下方へ延出した一対の側壁部５４と、上壁部５３の左右方向（幅方向）中央からその全長に亘って略直角に下方へ延出した隔壁部５５とを備えている。
【００４５】
保持部材５２のうち上壁部５３と一対の側壁部５４とで囲まれた空間は、隔壁部５５により左右に区画された一対の溝部５６となっている。各溝部５６は、導体収容室５７を構成する。各溝部５６は、前後方向に細長く、その全長に亘って保持部材５２の下面に開放されている。各溝部５６の内上面には抜止め凹部５８が形成されている。溝部５６の前端は保持部材５２の前面に開放されている。溝部５６の後端は保持部材５２の後面に開放されている。
【００４６】
保持部材５２の前端面のうち左右両側壁部５４の前端面には、夫々、上下に間隔を空けた一対ずつの嵌合孔６０（請求項に記載の嵌合部）が形成されている。左右両側壁部５４の外側面の前端部には、一対の前側ロック突起６１Ｆが形成され、左右両側壁部５４の外側面の後端部には、一対の後側ロック突起６１Ｒが形成されている。また、左右両側壁部５４の外面には、夫々、前側ロック突起６１Ｆと後側ロック突起６１Ｒとの間に配された位置決め凹部６２が形成されている。上壁部５３の外面（上面）には、係止突起６３が形成されている。
【００４７】
蓋部材６４は、図１６，１７に示すように、前後方向に細長い形状をなす。蓋部材６４は、前後方向に長い下壁部６５と、下壁部６５の左右両側縁の前端部から上方へ略直角に延出した一対の前側弾性ロック片６６Ｆと、下壁部６５の左右両側縁の後端部から上方へ略直角に延出した一対の後側弾性ロック片６６Ｒとを有する単一部品である。下壁部６５の左右両側縁には、前側弾性ロック片６６Ｆと後側弾性ロック片６６Ｒとの間に配された左右一対の位置決め突部６７が形成されている。下壁部６５の前端部外面（下面）には、左右方向中央部を浅く凹ませた形態の受圧部６８が形成されている。
【００４８】
蓋部材６４は、保持部材５２に対しその下面（溝部５６がその前端から後端に至る全長領域に亘って開放されている面）を塞いだ状態で組み付けられている。組付け状態では、下壁部６５が左右両側壁部５４の下端面と隔壁部５５の下端面に当接することにより、保持部材５２と蓋部材６４が上下方向に位置決めされる。また、前側ロック突起６１Ｆと前側弾性ロック片６６Ｆが係止し、後側ロック突起６１Ｒと後側弾性ロック片６６Ｒが係止することにより、保持部材５２と蓋部材６４が、上下方向への離間と左右方向への相対変位を規制される。さらに、位置決め凹部６２と位置決め突部６７が嵌合することにより、保持部材５２と蓋部材６４の前後方向への相対変位が規制されている。
【００４９】
以上により、保持部材５２と蓋部材６４が上下に合体して取り付けられた状態に保持されている。保持部材５２と蓋部材６４が合体することにより、本体部材５１が構成されている本体部材５１の内部には、溝部５６と下板部とにより導体収容室５７が形成されている。換言すると、各導体収容室５７は、上壁部５３と一方の側壁部５４と隔壁部５５と下壁部６５とによって囲まれた空間である。また、一対の導体収容室５７は、隔壁部５５によって絶縁状態に区画されている。導体収容室５７の前端は本体部材５１の前面に開放され、導体収容室５７の後端は本体部材５１の後面に開放されている。
【００５０】
前壁部材６９は、壁本体部７０と、押さえ部７１とを有する単一部品である。押さえ部７１は、壁本体部７０の下端縁部における左右方向中央部から後方へ略直角に片持ち状に延出した板状をなしている。壁本体部７０の後面における左右両端部には、夫々、後方へ片持ち状に突出した形態の上下一対ずつの嵌合突起７２（請求項に記載の嵌合部）が形成されている。各嵌合突起７２の突出端部（後端部）には、拡径部７３が形成されている。
【００５１】
壁本体部７０には、開口形状が方形をなす左右一対のタブ挿入口７４が前後方向（壁本体部７０の壁厚方向）に貫通した形態である。タブ挿入口７４には、相手側内導体８３の先端の細長いタブ８４が挿通されるようになっている。壁本体部７０の前面には、左右一対の誘導面７５が形成されている。各誘導面７５は、壁本体部７０の前面のうち各タブ挿入口７４の孔縁部に沿った方形枠状領域を、テーパ状に凹ませた形態である。タブ８４が誘導面７５に当接すると、誘導面７５の傾斜によりタブ８４がタブ挿入口７４へ誘導されるようになっている。
【００５２】
前壁部材６９は本体部材５１の前端面に取り付けられている。前壁部材６９を本体部材５１に組み付けることで、誘電体５０が構成されている。前壁部材６９と本体部材５１は、嵌合突起７２を嵌合孔６０に圧入し、嵌合突起７２の先端の拡径部７３を嵌合孔６０の後面側の孔縁部に係止させることで、組付け状態にロックされている。
【００５３】
内導体７６は、金属板材に曲げ加工等を施して成形されたものであり、全体として前後方向に細長い形状である。内導体７６の前端側領域には角筒状の導体本体部７７が形成され、内導体７６の後端側領域にはオープンバレル状の圧着部７８が形成されている。導体本体部７７の後端部には、その上面から上方へ突出した形態の抜止め突起７９が形成されている。
【００５４】
２つの内導体７６には、２本の電線８１の前端部が、個別に且つ導通可能に接続されている。詳細には、各圧着部７８には、夫々、電線８１の前端部が、導通可能に且つ概ね同軸状に圧着されている。２本の電線８１は、互いに螺旋状に撚り合わせることでツイストペア線８０を構成するものである。ツイストペア線８０は、筒状の絶縁部材８２により一括して包囲された状態で一体化されており、信号回路を構成している。
【００５５】
各内導体７６は、夫々、導体収容室５７内に収容されている。導体収容室５７に収容された内導体７６は、上壁部５３、下壁部６５、側壁部５４及び隔壁部５５に当接することにより、導体収容室５７（誘電体５０）に対して上下方向及び左右方向への相対変位を規制された状態に保持されている。また、抜止め突起７９と抜止め凹部５８との嵌合により、内導体７６は、導体収容室５７（誘電体５０）に対し前後方向への相対変位を規制された状態に保持されている。
【００５６】
誘電体５０は、保持部材５２と蓋部材６４と前壁部材６９の３つの部品を組み付けて構成されている。保持部材５２の材料は、ポリプロピレン（ＰＰ）が用いられている。また、蓋部材６４の材料もポリプロピレンである。つまり、本体部材５１を構成する保持部材５２と蓋部材６４は、同一の材料からなる。一方、誘電体５０の前面部を構成する前壁部材６９の材料は、比較的機械的強度の高い合成樹脂であるポリブチレンテレフタレート（ＰＢＴ）が用いられている。
【００５７】
本体部材５１の材料であるポリブチレンテレフタレートは、ポリプロピレンに比べて機械的強度が高く、誘電率（比誘電率）も高い。本体部材５１の材料、材質選定に際しては、内導体７６が信号回路を構成するものであり、保持部材５２には２つの内導体７６を仕切る隔壁部５５が一体形成されていることが考慮されている。これにより、本体部材５１の材料、材質として、信号伝達への影響の少ない合成樹脂、即ち比較的誘電率（比誘電率）の低いポリプロピレンが選択されている。
【００５８】
一方、前壁部材６９の材料、材質選定に際しては、誘電体５０の前方から相手側内導体８３の細長いタブ８４がタブ挿入口７４に挿入されるようになっているため、タブ８４が、公差の影響等により前壁部材６９の前面の誘導面７５に突き刺さる懸念が考慮されている。これにより、前壁部材６９の材料、材質として、タブ８４が突き刺さらない程度の機械的強度を有するポリブチレンテレフタレートが選択されている。
【００５９】
次に、本実施例２のコネクタ２の組付け手順を説明する。各内導体７６の後端部には電線８１の前端部が圧着される。電線８１が圧着済みの２つの内導体７６は、上下反転させた保持部材５２にセットされ、２つの溝部５６に個別に収容される。内導体７６が適正に溝部５６に収容された状態では、抜止め突起７９が抜止め凹部５８に係止することにより、内導体７６は保持部材５２（溝部５６）に対して前後方向への相対変位を規制された状態に保持される。
【００６０】
また、溝部５６に対する内導体７６の取付け方向は、内導体７６及び電線８１の軸線方向（前後方向）に対してほぼ直角に交差する方向なので、２本の電線８１の前端部のうち絶縁部材８２の前端から露出させて撚りを解く領域の長さは、後方から溝部５６（導体収容室５７）に内導体７６を挿入する場合に比べると、短くて済む。したがって、ツイストペア線８０としての電磁シールド機能に優れている。
【００６１】
この後、保持部材５２に対し蓋部材６４を上下に接近させるようにして合体させる。保持部材５２と蓋部材６４を合体した状態では、前側弾性ロック片６６Ｆと前側ロック突起６１Ｆが係止し、後側弾性ロック片６６Ｒと後側ロック突起６１Ｒが係止し、位置決め凹部６２と位置決め突部６７が係止することにより、保持部材５２と蓋部材６４が合体状態に保持される。合体状態では、２つの内導体７６が、導体収容室５７内に収容された状態に保持される。
【００６２】
保持部材５２と蓋部材６４を合体した後、前壁部材６９を本体部材５１に取り付ける。取り付けに際しては、前壁部材６９を前方から本体部材５１に接近させ、壁本体部７０の後面を本体部材５１の前面に当接させる。このとき、前壁部材６９の嵌合突起７２を本体部材５１の嵌合孔６０に圧入し、嵌合突起７２の拡径部７３を本体部材５１に係止させる。以上により、前壁部材６９が本体部材５１に対し正規の形態で組み付けられる。
【００６３】
また、蓋部材６４を本体部材５１に取り付けた状態では、蓋部材６４の壁本体部７０が保持部材５２に対し前方からの圧入によって取付け状態に保持され、押さえ部７１が蓋部材６４の受圧部６８に対し下方から面当たり状態で当接する。この押さえ部７１の当接により、蓋部材６４の前端部は、保持部材５２から下方へ離脱する方向へ変位することを規制される。以上により、誘電体５０の組付けが完了すると同時に、誘電体５０内に２つの内導体７６が収容された状態となる。内導体７６が取り付けられた誘電体５０は、ハウジング８５内に挿入され、ランス８６に係止突起６３を係止させることにより抜止め状態にロックされる。
【００６４】
本実施例２のコネクタ２は、通信性能の向上と嵌合動作の信頼性向上とを両立させることを目的とするものであり、誘電体５０と２つ（複数）の内導体７６とを備えている。誘電体５０は、隔壁部５５によって左右に区画された２つの導体収容室５７を有し、２つの導体収容室５７には２つの内導体７６が個別に収容されている。
【００６５】
誘電体５０は、隔壁部５５と２つの導体収容室５７とが形成された合成樹脂製の本体部材５１と、導体収容室５７の前端の開口を塞ぐように本体部材５１の前端部に取り付けられた合成樹脂製の前壁部材６９とを備えて構成されている。前壁部材６９には、誘電体５０の前方から相手側内導体８３のタブ８４を導体収容室５７内に挿入させることを許容するタブ挿入口７４が形成されている。
【００６６】
隔壁部５５は、前壁部材６９より誘電率の低い合成樹脂材料（ポリプロピレン）からなり、前壁部材６９の材料、材質は、隔壁部５５より機械的強度の高いもの（ポリブチレンテレフタレート）からなる。本実施例１のコネクタ２では、２つの内導体７６の間に介在する隔壁部５５を、比較的誘電率の低い材料、材質としたので、内導体７６を通る電気信号の通信性能が保証される。また、前壁部材６９は、隔壁部５５に比べて機械的強度の高い材料、材質からなので、相手側内導体８３のタブ８４が前壁部材６９と干渉しても、タブ８４が前壁部材６９に突き刺さる虞はない。
【００６７】
また、内導体７６の後端部に接続した２本の電線８１は、ツイストペア線８０を構成するものである。そのため、各電線８１に接続した内導体７６を、本体部材５１の後方から導体収容室５７に挿入する場合には、電線８１の撚りを解く長さを長くする必要がある。この点に鑑み、本実施例１では、誘電体５０を、保持部材５２と蓋部材６４とに分割した形態とし、保持部材５２には、隔壁部５５と、２つの導体収容室５７を構成する２つの溝部５６とを形成した。
【００６８】
そして、蓋部材６４は、２つの溝部５６の開口部を閉塞するように保持部材５２に取り付けた。この構成によれば、２つの内導体７６を誘電体５０の後方から導体収容室５７に挿入する必要がないので、電線８１の撚りを解く長さを短縮することができ、ひいては、ツイストペア線８０のシールド機能の信頼性低下を回避できる。
【００６９】
また、前壁部材６９と保持部材５２には、互いに嵌合することで組付け状態に保持する嵌合部（嵌合突起７２と嵌合孔６０）が形成されている。さして、前壁部材６９には、前壁部材６９を保持部材５２に組み付けた状態で、蓋部材６４の外面に当接することで蓋部材６４を保持部材５２に組付けた状態に保持する押え部が形成されている。この構成によれば、蓋部材６４と保持部材５２とを確実に組付け状態に保持することができる。
【００７０】
＜他の実施例＞
本発明は上記記述及び図面によって説明した実施例に限定されるものではなく、例えば次のような実施例も本発明の技術的範囲に含まれる。
（１）上記実施例１，２では、保持部材を、材料と材質が単一の部品としたが、保持部材は、隔壁部と、隔壁部以外の部位とを、互いに異なる材料又は異なる材質とした上で二色成型により一体化した単一部品であってもよい。
（２）上記実施例１，２では、隔壁部を保持部材に一体に形成したが、隔壁部は、保持部材とは別体の部品であってもよい。
（３）上記実施例１，２では、１つの誘電体に２つの内導体を収容したが、１つの誘電体に収容する内導体の数は、１つ又は３つ以上であってもよい。
（４）上記実施例１，２では、本体部材が保持部材と蓋部材との２部品で構成されているが、本体部材は単一部品であってもよい。
（５）上記実施例１，２では、内導体に接続した電線がツイストペア線を構成するものであるが、本発明は、内導体に接続する電線がツイストペア線を構成しない場合にも適用できる。
（６）上記実施例１，２では、隔壁部（保持部材）の材料、材質をポリプロピレン（ＰＰ）としたが、隔壁部（保持部材）の材料、材質は、ポリエチレン（ＰＥ）、ポリスチレン（ＰＳ）、発泡ポリブチレンテレフタレート等であってもよい。
（７）上記実施例１，２では、前壁部材の材料、材質をポリブチレンテレフタレート（ＰＢＴ）としたが、前壁部材の材料、材質はポリブチレンテレフタレート以外であってもよい。
（８）上記実施例では、前壁部材と隔壁部の材料又は材質の組合せが、ポリブチレンテレフタレートとポリプロピレンであるが、前壁部材と隔壁部の材料又は材質の組合せは、ポリブチレンテレフタレートとポリエチレン（ＰＥ）としてもよく、ポリブチレンテレフタレートと発泡ポリブチレンテレフタレートとしてもよい。
【符号の説明】
【００７１】
１，２…コネクタ
１０，５０…誘電体
１１，５１…本体部材
１２，５２…保持部材
１５，５５…隔壁部
１６，５６…溝部
１７，５７…導体収容室
２０，６０…嵌合孔（嵌合部）
２４，６４…蓋部材
２８，６９…前壁部材
３０…位置決め部
３１，７２…嵌合突起（嵌合部）
３３…タブ挿入口
３６…内導体
４６…相手側内導体
４７…タブ
７１…押え部
【図１】
2018133276.tif 000003
【図２】
2018133276.tif 000004
【図３】
2018133276.tif 000005
【図４】
2018133276.tif 000006
【図５】
2018133276.tif 000007
【図６】
2018133276.tif 000008
【図７】
2018133276.tif 000009
【図８】
2018133276.tif 000010
【図９】
2018133276.tif 000011
【図１０】
2018133276.tif 000012
【図１１】
2018133276.tif 000013
【図１２】
2018133276.tif 000014
【図１３】
2018133276.tif 000015
【図１４】
2018133276.tif 000016
【図１５】
2018133276.tif 000017
【図１６】
2018133276.tif 000018
【図１７】
2018133276.tif 000019
【図１８】
2018133276.tif 000020
【図１９】
2018133276.tif 000021
【図２０】
2018133276.tif 000022
【図２１】
2018133276.tif 000023